(57)【要約】【課題】    屋根上にパラペットを設けなくても、屋根の排水を軒樋で確実に受けることができるフラット屋根の軒先構造を提供する。【解決手段】  小屋梁(10)の上にＡＬＣ板その他のコンクリート板からなる屋根材(３)を載置してなるフラット屋根の建物において、前記の小屋梁(10)上に固定された軒先母屋(５)を、同じく小屋梁(10)によって支持される外壁材(12)の上方を通って外方へ張り出して設けるとともに、この母屋(５)の上に、上面が先端に向かって下り傾斜した軒先屋根部(１)を設け、且つ、この軒先屋根部(１)の先端部下方に軒樋(40)を配置する。【選択図】  図１
2005180091.tif 000002
【特許請求の範囲】
【請求項１】
小屋梁の上にＡＬＣ板その他のコンクリート板からなる屋根材を載置してなるフラット屋根の建物において、前記の小屋梁上に固定された軒先母屋を、同じく小屋梁によって支持される外壁材の上方を通って外方へ張り出して設けるとともに、この母屋の上に、上面が先端に向かって下り傾斜した軒先屋根部を設け、且つ、この軒先屋根部の先端部下方に軒樋を配置してなることを特徴とするフラット屋根の軒先構造。
【請求項２】
軒先母屋は、張り出し方向基端側の下端部に略水平な取付けプレートを備え、この取付けプレートを、前記小屋梁の上面に対してボルトで固定した請求項１記載のフラット屋根の軒先構造。
【請求項３】
軒先母屋は、前記取付けプレートより外方へ向かって張り出す張り出し部材を備えている請求項２記載のフラット屋根の軒先構造。
【請求項４】
軒先母屋は、前記張り出し部材の基端側に連結される基端側母屋材と、同じく張り出し部材の先端側に連結される先端側母屋材とを備え、それら基端側母屋材と先端側母屋材とに跨って、前記軒先屋根部を構成する野地板を設けた請求項３記載のフラット屋根の軒先構造。
【請求項５】
前記の基端側及び先端側の母屋材上面が、前記軒先屋根部上面の傾斜方向に沿って傾斜する傾斜面となっており、それら母屋材の傾斜面に前記野地板下面が支持されている請求項４記載のフラット屋根の軒先構造。
【請求項６】
軒先母屋は、前記の基端側及び先端側の母屋材と張り出し部材と取付けプレートとが一体的に連結されてなる請求項４又は５記載のフラット屋根の軒先構造。
【請求項７】
前記先端側母屋材は、前記傾斜面を備える傾斜部と、その傾斜部の基端より垂下する軒樋受け部とを備え、この軒樋受け部に前記軒樋を取り付けた請求項５又は６記載のフラット屋根の軒先構造。
【請求項８】
前記先端側母屋材の軒樋受け部の外側面に鼻隠を取り付けた請求項７記載のフラット屋根の軒先構造。
【発明の詳細な説明】
【技術分野】
【０００１】
この発明は、屋根上にパラペットが立設されていないフラット屋根に関するものであって、軒先の先端部下方に軒樋を備えたフラット屋根の軒先構造に関する。
【背景技術】
【０００２】
一般的に、フラット屋根の住宅等の建物では、屋根の端縁部にパラペットが立ち上がっており、屋根の排水は、パラペットを貫通するドレイン管と、このドレイン管に接続される縦樋とを通って流される。従って、屋根上を流れる雨水は、屋根の端部から外方へ飛散してしまうことなく、ドレイン管を介して縦樋へ確実に流し込まれる。
【０００３】
しかし、屋根上にパラペットを設けると、道路斜線制限や隣地斜線制限による高さ制限に関して不利になってしまい、場合によっては屋根の高さを低くせざるを得ない欠点がある。また、上記ドレイン管は、パラペットの壁体内を貫通しているため、保守メンテナンスが困難である。
【０００４】
一方、フラット屋根の建物においてパラペットを設けない場合は、屋根の端部を外壁面より張り出させて軒先を形成し、その軒先の先端部下方に軒樋を設けることが考えられる。すなわち、その場合は、パラペットを設けない分だけ高さ制限の点で有利となるとともに、施工コストを低減することができる。しかも、軒樋のメンテナンス性は、パラペットを貫通するドレイン管に比べて良好であるという利点もある。
【０００５】
なお、そのようにフラット屋根にパラペットを設けずに、軒先部分に軒樋を設けた構造は、例えば特許文献１に開示されている。この特許文献１の構成では、ＡＬＣ板からなる屋根材によってフラット屋根が構成され、軒先部分には、屋根材とは別の軒先部材が外壁面より張り出すようにして設けられている。
【０００６】
【特許文献１】特開平５−３１１８３１号公報
【発明の開示】
【発明が解決しようとする課題】
【０００７】
しかし、フラット屋根を構成する屋根材としては、ＡＬＣ板等のコンクリート板を用いるのが一般的であり、そのようなコンクリート板を外壁面より張り出させて設けるのは構造上困難である。
【０００８】
また、上面が略水平な屋根材をそのまま張り出させると、暴風雨時などに屋根上を勢いよく流れる雨水が、軒先から外方へ向かって遠くまで飛散してしまう場合があるため、屋根の排水を、軒樋で確実に受けることができない恐れがある。
【０００９】
またさらに、屋根の排水を軒樋で確実に受けるために、屋根材の軒先部分を先端に向かって下り傾斜させることが考えられるが、コンクリート板の上面にそのような傾斜を設けることは困難である。
【００１０】
なお、特許文献１の構成においても、軒先部材上面が下り傾斜していないため、やはり上記と同様、屋根の適切な排水が困難となっている。
【００１１】
そこで、この発明は、上記の不具合を解消して、屋根上にパラペットを設けなくても、屋根の排水を軒樋で確実に受けることができるフラット屋根の軒先構造を提供することを目的とする。
【課題を解決するための手段】
【００１２】
上記の課題を解決するため、この発明におけるフラット屋根の軒先構造は、小屋梁の上にＡＬＣ板その他のコンクリート板からなる屋根材を載置してなるフラット屋根の建物において、前記の小屋梁上に固定された軒先母屋を、同じく小屋梁によって支持される外壁材の上方を通って外方へ張り出して設けるとともに、この母屋の上に、上面が先端に向かって下り傾斜した軒先屋根部を設け、且つ、この軒先屋根部の先端部下方に軒樋を配置してなることを特徴とする。
【００１３】
また、軒先母屋は、張り出し方向基端側の下端部に略水平な取付けプレートを備え、この取付けプレートを、前記小屋梁の上面に対してボルトで固定した。さらに、軒先母屋は、前記取付けプレートより外方へ向かって張り出す張り出し部材を備えている。
【００１４】
またさらに、軒先母屋は、前記張り出し部材の基端側に連結される基端側母屋材と、同じく張り出し部材の先端側に連結される先端側母屋材とを備え、それら基端側母屋材と先端側母屋材とに跨って、前記軒先屋根部を構成する野地板を設けた請求項３記載のフラット屋根の軒先構造。
【００１５】
また、前記の基端側及び先端側の母屋材上面が、前記軒先屋根部上面の傾斜方向に沿って傾斜する傾斜面となっており、それら母屋材の傾斜面に前記野地板下面が支持されている。
【００１６】
さらに、軒先母屋は、前記の基端側及び先端側の母屋材と張り出し部材と取付けプレートとが一体的に連結されてなる。
【００１７】
またさらに、前記先端側母屋材は、前記傾斜面を備える傾斜部と、その傾斜部の基端より垂下する軒樋受け部とを備え、この軒樋受け部に前記軒樋を取り付けた。加えて、前記先端側母屋材の軒樋受け部の外側面に鼻隠を取り付けた。
【発明の効果】
【００１８】
この発明では、フラット屋根の建物において、上面が先端に向かって下り傾斜した軒先屋根部を設けているため、屋根上にパラペットを設けなくても、暴風雨時などに屋根上を勢いよく流れる雨水が、屋根端部から外方へ向かって遠くまで飛散するのを防止でき、屋根の排水を軒樋で確実に受けることができる。
【００１９】
逆に、フラット屋根上に雨水が滞留している場合には、軒先屋根部の下り傾斜によって軒樋への排水を促すことができ、フラット屋根の排水性を向上させることができる。
【００２０】
また、軒先屋根部を下側から支持する軒先母屋は、張り出し方向基端側の下端部に、小屋梁の上面にボルト固定される取付けプレートを備えているため、小屋梁に確実に固定することができる。
【００２１】
さらに、軒先屋根部を構成する野地板下面が、基端側及び先端側の母屋材の傾斜面に支持されているため、軒先屋根部を確実に支持することができるとともに、それら傾斜面に載置するだけで軒先の傾斜角度を容易に決定することができる。
【００２２】
またさらに、軒先母屋は、基端側及び先端側の母屋材と張り出し部材と取付けプレートとが一体的に連結されているため、建築現場での作業負担を軽減することができる。
【発明を実施するための最良の形態】
【００２３】
以下、この発明の実施形態を図面に基づいて詳細に説明する。図１は、この発明の第１の実施形態に係る軒先構造であって、小屋梁(10)の上に屋根材(３)を載置してなるフラット屋根の軒先構造を示している。屋根材(３)は、コンクリート板からなっており、特に、ＡＬＣ板その他の軽量気泡コンクリート板が好適に用いられる。
【００２４】
屋根材(３)は、例えばＨ形鋼からなる小屋梁(10)の上フランジ(20)上面に支持されている。また、屋根材(３)上面には、断熱材(４)が設置されている。断熱材(４)は、上面が軒先側に向かって僅かに下り傾斜するようにして設けられている。
【００２５】
外壁パネル(11)は、例えば軽量コンクリート板からなる外壁材(12)と、外壁材(12)裏面に取り付けられた例えば方形枠状の下地フレーム(13)とからなっている。下地フレーム(13)は、複数のフレーム材(14)(15)…が連結されてなっている。
【００２６】
この外壁パネル(11)は、小屋梁(10)に支持されている。具体的には、小屋梁(10)より外方に向かって張り出す支持プレート(16)が、その張り出し方向基端側において、小屋梁(10)の上フランジ(20)上面にボルト(41)とナット(42)で固定されている。一方、外壁パネル(11)の上側フレーム材(14)が、下側に開放した溝形鋼からなっており、この上側フレーム材(14)には、下側から差し込まれた支持ボルト(43)が、ナット(44)で締め付けられて固定されている。そして、支持プレート(16)の張り出し部分に、支持ボルト(43)先端を下側から差し込んだ状態において、その支持ボルト(43)先端に上側からナット(45)をねじ込むことで、上側フレーム材(14)が、支持プレート(16)に吊り下げ支持される。
【００２７】
なお、外壁材(12)の上端面には、例えば発泡ポリエチレンからなる水返しテープ(８)が貼り付けられている。水返しテープ(８)は、その外側の先端部が外壁面より外側に張り出すようにして設置されており、外壁面を伝って外壁材(12)の上端まで上昇してきた雨水が、この水返しテープ(８)の張り出し部分(８ａ)で、それ以上は上方へ行くことなく下方に落下するようになっている。
【００２８】
また、小屋梁(10)上には、外壁材(12)の上方を通って外方へ張り出す軒先母屋(５)が固定されている。そして、この軒先母屋(５)の上に、上面が先端に向かって下り傾斜した軒先屋根部(１)が設けられている。
【００２９】
軒先母屋(５)は、桁行方向に沿って配置される長尺状に形成されたものである。図２には、軒先母屋(５)の桁行方向一端部が表されている。また、図３に示すように、軒先母屋(５)の桁行方向の一端側には、別の軒先母屋(５)が、同じく桁行方向に沿って設置されている。その設置状態において、それら軒先母屋(５)(５)は、桁行方向において僅かな間隔を空けて隣接している。
【００３０】
軒先母屋(５)は、張り出し方向基端側の下端部に略水平な取付けプレート(21)(21)を備えている。取付けプレート(21)(21)は、軒先母屋(５)の桁行方向両端部に設けられている。取付けプレート(21)は、例えば矩形状とされており、小屋梁(10)の上フランジ(20)上面に対して例えばボルト(46)とナット(47)で固定されている。
【００３１】
また、軒先母屋(５)は、取付けプレート(21)(21)より外方へ向かって張り出す張り出しプレート(22)(22)を備えている。張り出しプレート(22)は、桁行方向に直角な垂直方向に沿うようにして配置されるものである。張り出しプレート(22)の形状は、上端面が軒先屋根部(１)上面の傾斜方向に沿って傾斜した略台形状となっている。
【００３２】
張り出しプレート(22)基端部の下端面は、取付けプレート(21)上面に例えば溶接により一体的に固着されている。この状態において、取付けプレート(21)が、張り出しプレート(22)側面の外方向に突出した状態となっている。
【００３３】
さらに、軒先母屋(５)は、張り出しプレート(22)(22)の基端側に連結される基端側母屋プレート(23)と、同じく張り出しプレート(22)(22)の先端側に連結される先端側母屋プレート(24)とを備えている。これら基端側及び先端側の母屋プレート(23)(24)は、桁行方向に沿うようにして配置される長尺状に形成されており、断面形状が略逆Ｌ字状となっている。
【００３４】
基端側母屋プレート(23)は、軒先屋根部(１)上面の傾斜方向に沿って配置される傾斜部(51)と、その傾斜部(51)の基端より垂下する垂直部(52)とを備えている。基端側母屋プレート(23)の桁行方向両端は、張り出しプレート(22)(22)の基端側に連結されている。具体的には、そのように連結される桁行方向両端において、基端側母屋プレート(23)の傾斜部(51)下面が、張り出しプレート(22)基端部の上端面に例えば溶接により一体的に固着されるとともに、基端側母屋プレート(23)の垂直部(52)先端側の側面が、張り出しプレート(22)基端側の端面に例えば溶接により一体的に固着されている。
【００３５】
先端側母屋プレート(24)は、軒先屋根部(１)上面の傾斜方向に沿って配置される傾斜部(53)と、その傾斜部(53)の基端より垂下する軒樋受け部(54)とを備えている。先端側母屋プレート(24)の桁行方向両端部は、張り出しプレート(22)(22)の先端側に連結されている。具体的には、そのように連結される桁行方向両端部において、先端側母屋プレート(24)の軒樋受け部(54)における基端側の側面上端部が、張り出しプレート(22)先端側の端面に例えば溶接により固着されている。
【００３６】
これら基端側及び先端側の母屋プレート(23)(24)の上面は、軒先屋根部(１)上面の傾斜方向に沿って傾斜する傾斜面(27)(28)となっている。また、それら傾斜面(27)(28)は、互いに略同一面上に配置されるようになっている。
【００３７】
上記の取付けプレート(21)(21)、張り出しプレート(22)(22)、基端側及び先端側の母屋プレート(23)(24)は、それぞれ鉄その他の金属からなっている。軒先母屋(５)は、それら各プレート(21)〜(24)が、例えば溶接により一体的に連結されてなっている。
【００３８】
そして、基端側母屋プレート(23)と先端側母屋プレート(24)とに跨って、軒先屋根部(１)を構成する野地板(９)が設けられている。具体的には、野地板(９)下面の基端部が、基端側母屋プレート(23)の傾斜面(27)に支持され、同じく野地板(９)下面の先端部が、先端側母屋プレート(24)の傾斜面(28)に支持されている。野地板(９)は、それら母屋プレート(23)(24)の傾斜部(51)(53)に対して、ビス(60)(61)等の固定具によりそれぞれ固定されている。
【００３９】
野地板(９)の先端部には、その先端側の端部を覆うようにして軒先水切(32)が固定されている。軒先水切(32)は、野地板(９)の先端側の端面を覆う垂直片(33)と、その垂直片(33)上端が内方に向かって折り返されてなる上側片(34)と、同じく垂直片(33)下端が内方に向かって斜め上方に折り返されてなる下側片(35)とからなっている。軒先水切(32)は、上側片(34)が野地板(９)上面に載置された状態において、上側片(34)の上側からねじ込まれたビス(62)等の固定具によって野地板(９)に固定されている。
【００４０】
野地板(９)基端部の上端高さは、屋根材(３)上に設置された断熱材(４)の軒先側の上端高さとほぼ等しくなっている。すなわち、それら野地板(９)上面と断熱材(４)上面とは、ほとんど段差のないように繋がっており、軒先部分においても屋根面が連続するようになっている。屋根材(３)上の断熱材(４)上面及び野地板(９)上面には、防水シート(18)が敷設されている。
【００４１】
軒先屋根部(１)を支持する軒先母屋(５)の外側面には、鼻隠(６)が取り付けられている。鼻隠(６)は、その取付け状態において、軒先母屋(５)を外側から覆い隠すようになっており、美感を向上させている。鼻隠(６)としては、鉄板その他の金属板が用いられている。
【００４２】
鼻隠(６)は、略垂直方向に沿うようにして設置される化粧部(55)を備えている。化粧部(55)は、先端側母屋プレート(24)の軒樋受け部(54)の外側面に固定されている。なお、この鼻隠(６)の化粧部(55)の固定には、ビスその他の固定具が用いられている。
【００４３】
また、鼻隠(６)は、化粧部(55)上端が外方に向かって折り返されてなる上側折返し部(56)を備えている。上側折返し部(56)は、化粧部(55)上端より略水平方向に沿って外方へ延びる水平片(58)と、この水平片(58)の先端が下側に折り返されてなる係合片(59)とからなっている。この係合片(59)の先端は、軒先水切(32)の垂直片(33)と下側片(35)とのコーナー部分に上側から係合されている。
【００４４】
さらに、鼻隠(６)は、化粧部(55)下端が内方に向かって折り返されてなる下側折返し部(57)を備えている。下側折返し部(57)は、化粧部(55)の下端より内方に向かって略水平方向に沿って延出するようにして設けられている。この下側折返し部(57)の外壁材(12)側先端と外壁材(12)の外側面との間には、所要幅を備えた隙間(65)が形成されている。
【００４５】
軒先屋根部(１)の先端部下方には、軒樋(40)が配置されている。軒樋(40)は、鼻隠(６)の外側において、桁行方向に沿うようにして設けられている。軒樋(40)は、軒樋支持具(39)を介して軒先母屋(５)の軒樋受け部(54)に取り付けられている。すなわち、軒樋支持具(39)が、ビス(63)(63)等の固定具で軒樋受け部(54)に固定されており、この軒樋支持具(39)に軒樋(40)が係合支持されている。また、軒樋(40)の底部には、縦樋(50)が接続されている。
【００４６】
このように設置された軒樋(40)が、軒先屋根部(１)先端から落下する屋根の排水を受けるようになっている。このとき、軒先屋根部(１)が、上記のように先端に向かって下り傾斜しているため、暴風雨時などに屋根上を勢いよく流れる雨水が、軒先屋根部(１)先端から外方に向かって遠くまで飛散することなく、軒樋(40)で確実に受けられるようになっている。逆に、屋根上に雨水が滞留している場合には、軒先屋根部(１)の下り傾斜によって軒樋(40)への排水を促すようになっている。
【００４７】
なお、鼻隠(６)と外壁材(12)の外側面との間には、小屋裏空間及び壁体内通気路に連通する換気通路(66)が形成されている。また、鼻隠(６)の下側折返し部(57)の上には、桁行方向に沿って配置される略筒状の目地材(７)が載置されている。目地材(７)周壁には、換気通路(66)の換気が通過する多数の通気用小孔(30)(30)…が形成されている。そして、この目地材(７)と外壁材(12)上端の水返しテープ(８)とによって、換気通路(66)から建物内へ雨水が入るのを防止している。
【００４８】
なお、この発明は、上記実施形態に限定されるものではなく、この発明の範囲内で上記実施形態に多くの修正及び変更を加え得ることは勿論である。
【図面の簡単な説明】
【００４９】
【図１】この発明の一実施形態に係るフラット屋根の軒先構造を示す断面図である。
【図２】同じくその斜視図である。
【図３】同じくその平面図である。
【符号の説明】
【００５０】
(１)  軒先屋根部
(３)  屋根材
(５)  軒先母屋
(６)  鼻隠
(９)  野地板
(10)  小屋梁
(12)  外壁材
(21)  取付けプレート
(22)  張り出し部材
(23)  基端側母屋材
(24)  先端側母屋材
(27)  基端側母屋材の傾斜面
(28)  先端側母屋材の傾斜面
(40)  軒樋
(51)  先端側母屋材の傾斜部
(52)  先端側母屋材の軒樋受け部
【図１】
2005180091.tif 000003
【図２】
2005180091.tif 000004
【図３】
2005180091.tif 000005